(57)【要約】【課題】可搬性、どこに置いても強い吸気力得ること、多様なアイロン面の提供という三拍子そろったアイロン台を提供すること。【解決手段】可搬性のある中空箱状体の内部に送風ファンが取り付けられ、上記中空箱状体の外周面の一部に上記送風ファンからの排気を排出する排気窓が形成され、更に上記中空箱状体の排気窓を設けた外周面を除く外周面の一部或は全部が通気性のある構造体により構成されてなるアイロン台。上記排気窓を設けた面に足を設けてもよい。【選択図】　図１
2004073484.tif 000002
【特許請求の範囲】
【請求項１】
可搬性のある中空箱状体の内部に送風ファンが取り付けられ、上記中空箱状体の外周面の一部に上記送風ファンからの排気を排出する排気窓が形成され、更に上記中空箱状体の排気窓を設けた外周面を除く外周面の一部或は全部が通気性のある構造体により構成されてなるアイロン台。
【請求項２】
上記排気窓を設けた面に足が設けられてなる請求項１記載のアイロン台。
【発明の詳細な説明】
【０００１】
【発明の属する技術分野】
本発明は、アイロン台に係り、特にそれ自身持ち運び自在な可搬性を有し、更に、どこにおいてもその外周面の一部から吸気することが出来、アイロン台として用いた場合、その外周面の形状に応じて種々の形態に熱セット処理を行うことができる便利なアイロン台に関するものである。
【０００２】
【従来の技術及びその問題点】
従来の古典的なアイロン台は、板の上に発泡ウレタン、不職布などのやわらかい素材を介して布を貼ったもので、その上でワイシャツその他の対象物に熱セットのためのアイロン処理を施すものであった。このような板状のアイロン台では、ワイシャツの背中の部分などのように幅の広い面を処理するには適しているが、ワイシャツの袖の部分、丸みを帯びた肩の部分など小面積で種々の立体形状の部分にアイロン処理を施すには適したものではない。このような種々の立体形状のアイロン対象に対応するために、従来、図１２に示す様に、小型のアイロン台が用いられている。このアイロン台は小型であるので可搬性を有し、上記従来の板状のアイロン台の上、或はデスク上などどこででも用いることができる点で便利なものである。
ところでアイロン処理をする場合、湿熱（スチーム熱）・高熱で処理をすると共に、熱処理後瞬間的に除湿乾燥させないで、徐々に自然冷却するだけで強制的に除湿乾燥処理を施さない場合には、冷却による相対湿度の上昇に伴い熱セットが十分に行なわれず、熱セットによる保形性に問題が生じる。この点上記単なる板状アイロン台や、図１２に示した小型のアイロン台は、熱セット後に積極的除湿乾燥処理を行なうことが出来ないので、保形性に問題があった。
この問題を解決するために、図１１に示すように板状アイロン台１に吸気ファン２を接続し、アイロン台の上面から吸気することにより、熱処理と同時に冷却処理及び吸気による強制乾燥処理を施して熱セット性を向上させる様にしたアイロン台が従来より知られている。
またこのような板状アイロン台に付属して或は独立的に、中空垂直軸２０の周りに水平の中空アーム３を回動自在に支持し、この中空アーム３の先端に別の中空垂直軸４を取り付け、更にこの中空垂直軸４の上端に馬と呼ばれる小型アイロン台５を取り付けたものが知られている。小型アイロン台５は、アイロン面が通気可能に構成されている。
この小型アイロン台５も、下方の吸気ファン２に上記中空軸３、中空アーム３、中空垂直軸４を介して接続されており、小型アイロン台５上でアイロン処理をした場合にも、熱セット処理と同時に吸気による冷却と乾燥処理が強制的に行なわれ、熱セットによる保形性が向上する。もちろん、小型アイロン台５を種々の形状のものに交換することにより、種々の形状のアイロン対象に対応できる。
しかしながら、このタイプのアイロン台５は、吸気源に接続されており、簡単に別の場所に移動させてアイロン作業を行なうようなことは考えられておらず、クリーニング或は縫製業者などの産業用として専ら用いられるのみで、家庭用などの用途には不向きと考えられる。
図１０に示したものは、図１１に示したような吸気ファン２に接続した板状アイロン台１の上で使う、可搬型のアイロン台６である。これは下面に開口を有する台部７と、上記台部７に固定的に接続された中空軸８と、該中空軸８に固定的に接続された小型アイロン台９からなるもので、吸気状態にある板状アイロン台１の上に乗せて、上記板状アイロン台１からの吸気を台部７の上記開口、中空軸８を経て小型アイロン台９に及ばすことで小型アイロン台９上でのアイロン処理と同時に除湿乾燥冷却処理を施すことができるように図られている。
しかしながらこの可搬性の小型アイロン台６では、上記のように吸気しつつある板状アイロン台１上で使うことを前提に作られており、例えば他の机やテーブル上では吸気源が無いので強制吸気が出来ず、図１２に示した単なる小型アイロン台としてしか機能しないので保形性については劣るものとならざるを得ない。従って、可搬性を生かすことが出来ない。
また、この小型携帯用アイロン台６では、吸気源に接続した板状アイロン台１上で用いたとしても、台部７の下部開口を上記板状アイロン台１に向けた図示の状態で使う場合しか吸気による強制乾燥及び乾燥効果を得ることが出来ないので、小型アイロン台９の上面のみしか使うことができない。従って、小型アイロン台９の側面９ａ、先端面９ｂ、後面９ｃに別の曲面が形成されていても、その部分をアイロン台として使用することが出来ない。
更には、板状アイロン台１を通して小型アイロン台９に吸気を及ぼすものであるため吸気についての空気抵抗が大きく、小型アイロン台９上における吸気力は非常に低いものにならざるを得ないという不便があった。
そのため本発明は、可搬性を有しながら十分な吸気力を得ることが出来る小型アイロン台であって、置く場所を選ばずどこでも吸気による強制冷却と除湿乾燥処理を可能とし、しかもその小型アイロン台を置く時の姿勢によって様々な曲面をアイロン台の面として提供することで、極めて便利な可搬型小型アイロン台を提供することを目的とする。
【０００３】
【課題を解決するための手段】
上記目的を達成するために本発明は、可搬性のある中空箱状体の内部に送風ファンが取り付けられ、上記中空箱状体の外周面の一部に上記送風ファンからの排気を排出する排気窓が形成され、更に上記中空箱状体の排気窓を設けた外周面を除く外周面の一部或は全部が通気性のある構造体により構成されてなるアイロン台として構成されている。
これにより、可搬性、どこに置いても強い吸気力得ること、多様なアイロン面の提供という三拍子そろったアイロン台を提供することが出来る。
また、排気窓を設けた面に足を付けてアイロン台全体を浮かせれば、排気窓を設けた面も下に向けることが出来、使用面の多様化が達成される。
【０００４】
【発明の実施の形態】
続いて添付図面を参照して本発明を具体化した実施形態について説明し、本発明の理解に供する。
ここに図１は、本発明の一実施形能に係る小型アイロン台の後面から見た斜視図、図２は、同じく小型アイロン台の正面側から見た斜視図、図３は、図１に示したアイロン台から不職布及びその外面を覆う布等の外装部材でを取り除いた状態を示す斜視図、図４は、図３に示した外装部材を除いたアイロン台の正面から見た斜視図、図５は、図３に示したアイロン台の後面図、図６は、図４に示したアイロン台の正面図、図７は、図３〜６に示した外装部材抜きのアイロン台の側面図、図８は、図７に示したアイロン台のＡ−Ａ断面から見た斜視図、図９は、この実施形態に係る小型アイロン台を、図１における側面を下にして傾けて使用している状態を示す斜視図、図１３は、本発明の実施例にかかる小型アイロン台の一部透過状態を含む斜視図である。
続いて、上記図面を参照しつつ、好ましい実施形態に付いて説明し本発明の理解に供する。
この実施形態にかかる小型アイロン台１０ａは、図１〜図９に示す如く、略半楕円形の正面板１１と、同じく略半楕円形の後面板１２を若干傾けて対向配置し、その間の外周に多孔性の金属製薄板１３を張って、概略おむすび型に構成されている。上記後面板１２の中央部分には排風窓１４ａが形成され、この排風窓１４ａに多孔性又は金属製網板１４が張られている。また、下面は台板１５で閉じられ、アイロン台１０全体として中空箱構造をなしている。
上記のように骨格が構成された箱型の小型アイロン台１０ａ内には、図８に明らかな様に、前記排風窓１４ａ方向に空気を排気する送風ファン１６が固定されている。１７は上記送風ファン１６への給電コードである。尚、乾電池或は蓄電池を内臓する場合には、上記給電コード１７を省略することができる。
更に小型アイロン台１０ａの上記多孔性の金属製薄板１３の外面は、不職布や発泡ウレタンなどの通気性柔軟材と、その外面を覆う布とよりなる通気性のある外装材１８により覆われる。これにより通気性のある面が構成される。
また、正面板１１及び台板１５も多孔性としてその外面を外装材１８で覆うことにより、吸気面が拡大される。
もちろん、吸気力を向上させるために、多孔性の面を金属製薄板１３を貼った円弧状面Ｒ１のみ及びその他の一部に限定することも可能である。
【０００５】
次に上記した半楕円状の円弧面Ｒ１，正面板１１、台板１５に通気性を施した本実施形態に係る小型アイロン台１０の使用形態について説明する。
上記のように半楕円形状の円弧面Ｒ１をアイロン台として使用する場合には、図２に示すように台板１５を下にして任意の場所に置き、図示しないスイッチを投入して送風ファン１６を駆動する。それにより上記半楕円形状の円弧面Ｒ１をはじめ正面板１１から吸気が行なわれ、排風窓１４ａから排気される。従って、これらの面上でのアイロン作業において熱セットと同時に冷却と除湿乾燥が行なわれる。これにより、どこでも保形性に富んだアイロン作業を行なうことができる。
また、この実施形態に係るアイロン台では、後面板１２の部分に排風用の排風窓１４ａが設けられているので、後ろ面を下にすると、吸気機能が失われる。別言すればこの実施形態に係るアイロン台では、後面板１２を除きいずれの面を下にしても強い吸気力のあるアイロン作業を行なうことができるので、種々の形状の部分を上にしてその面をアイロン面とする事ができる。即ち、多様なアイロン面を１つのアイロン台で提供することが出来る。
このようにこの実施形態に係るアイロン台では、可搬性、吸気力の低下防止、多様なアイロン面の提供という三拍子そろったアイロン台を提供することが出来る。
【０００６】
【実施例】
上の実施形態では、排風窓１４ａを設けた後板１２が単なる平板であるので、その面を下面にすると、排風が出来ない。そのためこの姿勢では、吸気機能が失われる。この点を改良したのが、図１３に示す小型アイロン台１０ｂである。
この小型アイロン台１０ｂでは、排風窓１４ａを設けた面に複数の足１９、１９、…を設けたものである。このように構成することで、排風孔のある面を下にしても、上記足１９と俳風窓１４ａとの間に空間が出来、排風機能が低下しないので、アイロン台１０ｂのどの面でも下にして保形性の高いアイロン作業を実施することが可能である。なお、排風窓を設ける面は、図示の面に限定されず、どの面に設けても良い。
【０００７】
【発明の効果】
本発明に係るアイロン台においては以上述べた如く、可搬性、どこに置いても強い吸気力得ること、多様なアイロン面の提供という三拍子そろったアイロン台を提供することが出来る。
また、排気窓を設けた面に足を付けてアイロン台全体を浮かせれば、排気窓を設けた面も下に向けることが出来、使用面の多様化が達成される。
【図面の簡単な説明】
【図１】本発明の一実施形能に係る小型アイロン台の後面から見た斜視図、
【図２】同じく小型アイロン台の正面側から見た斜視図、
【図３】図１に示したアイロン台から不職布及びその外面を覆う布等の外装部材でを取り除いた状態を示す斜視図、
【図４】図３に示した外装部材を除いたアイロン台の正面から見た斜視図、
【図５】図３に示したアイロン台の後面図、
【図６】図４に示したアイロン台の正面図、
【図７】図３〜６に示した外装部材抜きのアイロン台の側面図、
【図８】図７に示したアイロン台のＡ−Ａ断面から見た斜視図、
【図９】この実施形態に係る小型アイロン台を、図１における側面を下にして傾けて使用している状態を示す斜視図、
【図１０】従来のアイロン台の一例を示す斜視図、
【図１１】従来のアイロン台の一例を示す斜視図、
【図１２】従来の小型アイロン台の一例を示す斜視図、
【図１３】本発明の実施例にかかる小型アイロン台の一部透過状態を含む斜視図。
【符号の説明】
１…板状アイロン台
２、４…垂直軸
３…アーム
５…小型アイロン台
７…台部
８…垂直軸
９…小型アイロン台
１０…一実施形態にかかる小型アイロン台
１０ｂ…一実施例にかかる小型アイロン台
１１…正面板
１２…後面板
１３…多孔性金属性薄板
１４…網板
１４ａ…排風窓
１５…台板
１６…送風ファン
１７…給電コード
１８…外装材
１９…足
【図１】
2004073484.tif 000003
【図２】
2004073484.tif 000004
【図３】
2004073484.tif 000005
【図４】
2004073484.tif 000006
【図５】
2004073484.tif 000007
【図６】
2004073484.tif 000008
【図７】
2004073484.tif 000009
【図８】
2004073484.tif 000010
【図９】
2004073484.tif 000011
【図１０】
2004073484.tif 000012
【図１１】
2004073484.tif 000013
【図１２】
2004073484.tif 000014
【図１３】
2004073484.tif 000015